(57)【要約】【課題】パラメータが解析や流用されて不正に使用されるのを抑制することができ、かつ、パラメータを設定するサービスの利便性を向上させることができる信号処理装置およびパラメータ調整システムを提供する。【解決手段】パラメータ調整システムは、信号生成装置１と、サービス提供者によりメーカに提供された信号処理装置２およびパラメータ選択設定装置４と、メーカが所持する出力デバイス３と、メーカとサービス提供者との間で情報を送受信するネットワーク５と、サービス提供者が管理するパラメータサーバ装置６と、試用時と永続利用時を切り換える切換スイッチ７とを備えている。【選択図】  図１
2004222079.tif 000002
【特許請求の範囲】
【請求項１】
入力される映像信号をパラメータに基づいて、信号処理を行う信号処理装置であって、
外部から与えられる第１の暗号方式で暗号化された第１のパラメータを受け取るための送受信手段と、
前記送受信手段が受け取った前記第１のパラメータを記憶するための記憶手段と、
前記記憶手段から読み出された前記第１のパラメータを復号する第１の復号手段と、
前記第１の復号手段により復号された前記第１のパラメータに基づいて、前記映像信号に信号処理を行う信号処理手段と
を備えることを特徴とする信号処理装置。
【請求項２】
前記送受信手段は、さらに、暗号化されていない第２のパラメータを受け取り、
前記信号処理手段は、前記第２のパラメータ、または前記第１の復号手段により復号された前記第１のパラメータに基づいて、前記映像信号に信号処理を行う
ことを特徴とする請求項１記載の信号処理装置。
【請求項３】
前記信号処理装置は、さらに、前記信号処理手段で用いるパラメータを格納する保持手段と、
前記第２のパラメータ、または前記第１の復号手段により復号された前記第１のパラメータのいずれかを選択して前記保持手段に記憶させる選択手段と
を備えることを特徴とする請求項２記載の信号処理装置。
【請求項４】
前記送受信手段は、前記第１のパラメータを受け取るための第１の伝送路と、
前記第２のパラメータを受け取るための第２の伝送路と
を備えることを特徴とする請求項２または請求項３記載の信号処理装置。
【請求項５】
前記信号処理装置は、さらに、前記第１のパラメータを暗号化する際に用いる暗号鍵情報を発生するとともに、前記暗号鍵情報によって暗号化された前記第１のパラメータを復号するための復号鍵情報を前記第１の復号手段に出力する鍵情報発生手段を備え、
前記送受信手段は、前記暗号鍵情報を外部に出力する
ことを特徴とする請求項１〜請求項４のいずれか１項に記載の信号処理装置。
【請求項６】
前記鍵情報発生手段は、前記暗号鍵情報として公開鍵を発生し、前記復号鍵情報として秘密鍵を発生する
ことを特徴とする請求項５記載の信号処理装置。
【請求項７】
前記信号処理装置は、さらに、前記第１のパラメータを暗号化する際に用いる暗号鍵情報を特定するための暗号鍵参照情報を発生するとともに、前記暗号鍵情報によって暗号化された前記第１のパラメータを復号するための復号鍵情報を前記第１の復号手段に出力する鍵情報発生手段を備え、
前記送受信手段は、前記暗号鍵参照情報を外部に出力する
ことを特徴とする請求項１〜請求項４のいずれか１項に記載の信号処理装置。
【請求項８】
前記送受信手段は、さらに、第２の暗号方式で暗号化された第２のパラメータを受け取り、
前記信号処理装置は、さらに、前記送受信手段が受け取った前記第２のパラメータを復号する第２の復号手段を備え、
前記信号処理手段は、前記第１の復号手段により復号された前記第１のパラメータ、または前記第２の復号手段により復号された前記第２のパラメータに基づいて、前記映像信号に信号処理を行う
ことを特徴とする請求項１記載の信号処理装置。
【請求項９】
前記送受信手段は、さらに、第２の暗号方式で暗号化された第２のパラメータを受け取り、
前記復号手段は、前記第１の暗号方式で暗号化された前記第１のパラメータを復号するための復号鍵情報を発生する第１の鍵発生部と、
前記第２の暗号方式で暗号化された前記第２のパラメータを復号するための復号鍵情報を発生する第２の鍵発生部と、
前記第１の暗号方式で暗号化された前記第１のパラメータおよび第２の暗号方式で暗号化された前記第２のパラメータを、それぞれの前記復号鍵情報に基づいて復号する前記復号部とを備え、
前記信号処理手段は、前記復号手段により復号された前記第１のパラメータ、または前記第２のパラメータに基づいて、前記映像信号に信号処理を行う
ことを特徴とする請求項１記載の信号処理装置。
【請求項１０】
前記信号処理装置は、さらに、当該信号処理装置の稼動時間を計測するカウント手段と、
前記カウント手段により計測された稼動時間が所定の時間を越えた場合に、前記第２のパラメータの使用を制限する制限手段と
を備えることを特徴とする請求項２記載の信号処理装置。
【請求項１１】
前記信号処理装置は、さらに、前記送受信手段より前記第２のパラメータが入力された回数を計測するカウント手段と、
前記カウント手段により計測された入力回数が所定の回数を越えた場合に、前記第２のパラメータの使用を制限する制限手段と
を備えることを特徴とする請求項２記載の信号処理装置。
【請求項１２】
前記第１のパラメータの一部が暗号化されている
ことを特徴とする請求項１記載の信号処理装置。
【請求項１３】
前記第２のパラメータの一部が暗号化されている
ことを特徴とする請求項２記載の信号処理装置。
【請求項１４】
前記信号処理手段は、前記選択手段により前記第２のパラメータが選択されている場合、前記映像信号に信号処理を行って出力する際に、表示領域の一部に映像を表示するように出力を行う
ことを特徴とする請求項２記載の信号処理装置。
【請求項１５】
前記信号処理手段は、前記選択手段により前記第２のパラメータが選択されている場合、前記映像信号に信号処理を行う処理速度を遅くする
ことを特徴とする請求項２記載の信号処理装置。
【請求項１６】
入力される映像信号をパラメータに基づいて信号処理を行って出力デバイスへ出力する信号処理装置と、前記信号処理装置と接続されるパラメータ選択設定装置と、前記パラメータ選択設定装置とネットワークを介して接続されるパラメータサーバ装置とから構成されるパラメータ調整システムであって、
前記信号処理装置は、
外部から与えられる第１の暗号方式で暗号化された第１のパラメータ、および暗号化されていない第２のパラメータを受け取るための送受信手段と、
前記送受信手段が受け取った前記第１のパラメータを記憶するための記憶手段と、
前記記憶手段から読み出された前記第１のパラメータを復号する第１の復号手段と、
前記第２のパラメータ、または前記第１の復号手段により復号された前記第１のパラメータに基づいて、前記映像信号に信号処理を行う信号処理手段とを備え、
前記パラメータ選択設定装置は、
前記信号処理装置で用いる前記第１のパラメータおよび前記第２のパラメータを前記ネットワークを介して前記パラメータサーバ装置に要求する要求手段と、
前記パラメータサーバ装置から受信した前記第１のパラメータおよび前記第２のパラメータを前記信号処理装置へ出力する設定手段とを備え、
前記パラメータサーバ装置は、
前記第１のパラメータおよび前記第２のパラメータを生成し、必要に応じて暗号化を行う演算手段を備える
ことを特徴とするパラメータ調整システム。
【請求項１７】
前記信号処理装置は、さらに、前記第１のパラメータを暗号化する際に用いる暗号鍵情報を発生するとともに、前記暗号鍵情報によって暗号化された前記第１のパラメータを復号するための復号鍵情報を前記第１の復号手段に出力する鍵情報発生手段を備え、
前記送受信手段は、前記暗号鍵情報を前記パラメータ選択設定装置に出力し、
前記パラメータ選択設定装置は、前記第１のパラメータをパラメータサーバ装置に要求する際に、前記暗号鍵情報を送信し、
前記パラメータサーバ装置の前記演算手段は、受信した前記暗号鍵情報を用いて前記第１のパラメータを暗号化する
ことを特徴とする請求項１６記載のパラメータ調整システム。
【請求項１８】
前記信号処理装置は、さらに、前記第１のパラメータを暗号化する際に用いる暗号鍵情報を特定するための暗号鍵参照情報を発生するとともに、前記暗号鍵情報によって暗号化された前記第１のパラメータを復号するための復号鍵情報を前記第１の復号手段に出力する鍵情報発生手段を備え、
前記送受信手段は、前記暗号鍵参照情報を前記パラメータ選択設定装置に出力し、
前記パラメータ選択設定装置は、前記第１のパラメータをパラメータサーバ装置に要求する際に、前記暗号鍵参照情報を送信し、
前記パラメータサーバ装置は、受信した前記暗号鍵参照情報から対応する前記暗号鍵情報を割り当てる鍵情報データベースを備え、
前記演算部は、前記鍵情報データベースにより割り当てられた前記暗号鍵情報を用いて前記第１のパラメータを暗号化する
ことを特徴とする請求項１６記載のパラメータ調整システム。
【請求項１９】
前記パラメータ調整システムは、さらに、前記出力デバイスの特性を測定し、この測定した結果を前記ネットワークを介して前記パラメータサーバ装置に送信する測定手段を備え、
前記パラメータサーバ装置の前記演算手段は、受信した前記出力デバイスの特性の測定結果に基づいて前記第２のパラメータを生成する
ことを特徴とする請求項１６記載のパラメータ調整システム。
【請求項２０】
入力される映像信号をパラメータに基づいて、信号処理を行う信号処理方法であって、
外部から与えられる第１の暗号方式で暗号化された第１のパラメータを受け取る受取ステップと、
前記受取ステップで受け取った前記第１のパラメータを記憶する記憶ステップと、
前記記憶ステップで記憶した前記第１のパラメータを読み出し、復号する第１の復号ステップと、
前記第１の復号ステップで復号された前記第１のパラメータに基づいて、前記映像信号に信号処理を行う信号処理ステップと
を含むことを特徴とする信号処理方法。
【請求項２１】
入力される映像信号をパラメータに基づいて、信号処理を行うためのプログラムであって、
請求項２０記載の信号処理方法に含まれるステップをコンピュータに実行させる
ことを特徴とするプログラム。
【発明の詳細な説明】
【０００１】
【発明の属する技術分野】
本発明は、パラメータに基づいて映像信号に対して信号処理を行なうＬＳＩなどの信号処理装置、およびそのパラメータを調整して設定するパラメータ調整システムに関する。
【０００２】
【従来の技術】
従来、例えば液晶ディスプレイパネル等の出力デバイスに映像信号を出力して表示する場合に、この出力デバイスの表示特性に合わせるように映像信号に対してガンマ補正等の信号処理を行い、出力デバイスに出力する信号処理装置が用いられている。このような信号処理装置は、入力された映像信号をパラメータに基づいて変換処理している。このパラメータについて、従来は出力デバイスの特性をセンサーなどで測定した結果を元に入力信号を出力デバイスの特性に合わせるようにパラメータを補正している（例えば、特許文献１参照。）。
【０００３】
【特許文献１】
特開平０５−０８０１０１号公報
【０００４】
【発明が解決しようとする課題】
ところで、前記のような信号処理装置と出力デバイスを組み合わせて使用する製品の生産者（以下、メーカという）に対して、信号処理装置およびこの信号処理装置で用いるパラメータを出力デバイスに合わせて最適に調整を行うサービスを提供する場合がある。この場合、パラメータの調整に関しては手法やアルゴリズムの流出を防ぐために調整はメーカとは別な場所で行えることが望ましい。しかしながら、そのためにはメーカはサービス提供者に出力デバイスを送付する必要がある。
【０００５】
また、調整の結果を確認するにはメーカの担当者がサービス提供者の所へ赴くか、サービス提供者からメーカに出力デバイスおよびパラメータ調整済みの信号処理装置を返送する必要があるため空間的な制約を大きく受けることになる。このようなことから、出力デバイスの特性の測定工程とパラメータの調整工程、および調整の確認工程は、出力デバイスの運搬による費用や時間の浪費などを考えると遠隔で制御できることが望ましい。そのためには出力デバイスの特性の測定工程と調整の確認工程をメーカ側で、パラメータの調整工程をサービス提供者側で行えるようにネットワークなどを用いて接続できればよいが、このときパラメータを解析あるいは流用して不当なライセンスで使用される危険性がある。
【０００６】
そこで、本発明は上記の事情に鑑みてなされたものであり、パラメータが解析や流用されて不正に使用されるのを抑制することができ、かつ、パラメータを設定するサービスの利便性を向上させることができる信号処理装置およびパラメータ調整システムを提供することを目的とする。
【０００７】
【課題を解決するための手段】
上記目的を達成するために、本発明に係る信号処理装置は、入力される映像信号をパラメータに基づいて、信号処理を行う信号処理装置であって、外部から与えられる第１の暗号方式で暗号化された第１のパラメータを受け取るための送受信手段と、前記送受信手段が受け取った前記第１のパラメータを記憶するための記憶手段と、前記記憶手段から読み出された前記第１のパラメータを復号する第１の復号手段と、前記第１の復号手段により復号された前記第１のパラメータに基づいて、前記映像信号に信号処理を行う信号処理手段とを備えることを特徴とする。これによって、信号処理装置は暗号化された第１のパラメータを用いるので、パラメータが解析や流用されて不正に使用されるのを抑制することができる。
【０００８】
また、前記送受信手段は、さらに、暗号化されていない第２のパラメータを受け取り、前記信号処理手段は、前記第２のパラメータ、または前記第１の復号手段により復号された前記第１のパラメータに基づいて、前記映像信号に信号処理を行うことが好ましい。これによって、信号処理装置は、試用時には暗号化されていない第２のパラメータを用い、永続利用時には暗号化された第１のパラメータを復号して用いることができるので、パラメータが解析や流用されて不正に使用されるのを抑制することができる。
【０００９】
また、前記信号処理装置は、さらに、前記第１のパラメータを暗号化する際に用いる暗号鍵情報を発生するとともに、前記暗号鍵情報によって暗号化された前記第１のパラメータを復号するための復号鍵情報を前記第１の復号手段に出力する鍵情報発生手段を備え、前記送受信手段は、前記暗号鍵情報を外部に出力してもよい。これによって、個々の信号処理装置に鍵を持たせることができるので容易に個別のパラメータ管理を可能にすることができる。
【００１０】
また、前記送受信手段は、さらに、第２の暗号方式で暗号化された第２のパラメータを受け取り、前記信号処理装置は、さらに、前記送受信手段が受け取った前記第２のパラメータを復号する第２の復号手段を備え、前記信号処理手段は、前記第１の復号手段により復号された前記第１のパラメータ、または前記第２の復号手段により復号された前記第２のパラメータに基づいて、前記映像信号に信号処理を行ってもよい。これによって、第２のパラメータについても暗号化するので、さらにパラメータの解析を困難にすることができる。
【００１１】
また、本発明に係るパラメータ調整システムは、入力される映像信号をパラメータに基づいて信号処理を行って出力デバイスへ出力する信号処理装置と、前記信号処理装置と接続されるパラメータ選択設定装置と、前記パラメータ選択設定装置とネットワークを介して接続されるパラメータサーバ装置とから構成されるパラメータ調整システムであって、前記信号処理装置は、外部から与えられる第１の暗号方式で暗号化された第１のパラメータ、および暗号化されていない第２のパラメータを受け取るための送受信手段と、前記送受信手段が受け取った前記第１のパラメータを記憶するための記憶手段と、前記記憶手段から読み出された前記第１のパラメータを復号する第１の復号手段と、前記第２のパラメータ、または前記第１の復号手段により復号された前記第１のパラメータに基づいて、前記映像信号に信号処理を行う信号処理手段とを備え、前記パラメータ選択設定装置は、前記信号処理装置で用いる前記第１のパラメータおよび前記第２のパラメータを前記ネットワークを介して前記パラメータサーバ装置に要求する要求手段と、前記パラメータサーバ装置から受信した前記第１のパラメータおよび前記第２のパラメータを前記信号処理装置へ出力する設定手段とを備え、前記パラメータサーバ装置は、前記第１のパラメータおよび前記第２のパラメータを生成し、必要に応じて暗号化を行う演算手段を備えることを特徴とする。
【００１２】
これによって、信号処理装置は、試用時には暗号化されていない第２のパラメータを用い、出力デバイスの調整結果を確認後、ネットワークを介してパラメータサーバ装置より暗号化された第１のパラメータを取得することができる。また、信号処理装置は、永続利用時に暗号化された第１のパラメータを復号して用いるので、パラメータが解析や流用されて不正に使用されるのを抑制することができる。
【００１３】
また、前記パラメータ調整システムは、さらに、前記出力デバイスの特性を測定し、この測定した結果を前記ネットワークを介して前記パラメータサーバ装置に送信する測定手段を備え、前記パラメータサーバ装置の前記演算手段は、受信した前記出力デバイスの特性の測定結果に基づいて前記第２のパラメータを生成してもよい。これによって、測定手段で測定した出力デバイスの特性を第２のパラメータの生成に反映するので、メーカの要求を満たす試用パラメータを迅速かつ確実に生成することができる。
【００１４】
なお、本発明は、このような信号処理装置として実現することができるだけでなく、このような信号処理装置が備える特徴的な手段をステップとする信号処理方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【００１５】
【発明の実施の形態】
以下、本発明の実施の形態について、図面を用いて詳細に説明する。
（実施の形態１）
図１は、本発明の実施の形態１に係るパラメータ調整システムの構成を示すブロック図である。
【００１６】
パラメータ調整システムは、メーカに提供された信号処理装置２の信号処理用のパラメータを出力デバイス３に合わせて調整するためのシステムであり、図１に示すように信号生成装置１と、サービス提供者によりメーカに提供された信号処理装置２およびパラメータ選択設定装置４と、メーカが所持する出力デバイス３と、メーカとサービス提供者との間で情報を送受信するネットワーク５と、サービス提供者が管理するパラメータサーバ装置６と、試用時と永続利用時を切り換える切換スイッチ７とを備えている。
【００１７】
本実施の形態では、例えば、次のような利用形態を想定している。
サービス提供者は、映像信号に対してガンマ補正、色変換などの映像信号処理を施す映像信号処理ＬＳＩを信号処理装置２としてメーカに提供する。メーカは出力デバイス３として液晶ディスプレイパネルを、信号生成装置１としてＤＶＤドライブを使用し、供給された映像信号処理ＬＳＩを接続してＤＶＤプレーヤシステムを生産する。このとき、サービス提供者が映像信号処理ＬＳＩにおけるガンマ補正、色変換などの処理特性を決めるパラメータを、メーカが使用する液晶ディスプレイパネルの表示特性に合わせて調整し、メーカに提供する。
【００１８】
ここで、パラメータについて、出力デバイス３のガンマ特性を補正するためのガンマ補正パラメータを一例に説明する。図２（ａ）  はガンマ補正パラメータにより指定される処理特性を示す図であり、図２（ｂ）  はガンマ補正パラメータの一例を説明するための図である。図２（ａ）  では、横軸が入力される映像信号のレベルを、縦軸が出力される映像信号のレベルを示している。なお、このとき出力デバイス３は、入力されるＲＧＢ各８ビットパラレルのデジタル映像信号を表示するものとする。図２（ａ）  に示す例では、入力された映像信号は入力レベルの値３２毎に区切られた８領域に分けられて、それぞれ８本の直線に合わせて近似処理される。この場合、これら８領域の両端におけるＹ軸の値がガンマ補正パラメータであり、ガンマ補正パラメータは図２（ｂ）  に示すようになる。
【００１９】
信号処理装置２は、信号生成装置１の信号を入力する入力端子１０と、信号処理部１１と、信号処理が行われた信号を出力する出力端子１２と、レジスタ１３と、選択部１４と、切換スイッチ７からの信号を入力する切換信号端子１５と、第１の外部Ｉ／Ｆ１６と、パラメータ選択設定装置４から試用パラメータを入力する入力端子１７と、第１の復号部１８と、不揮発性メモリ１９と、第２の外部Ｉ／Ｆ２０と、パラメータ選択設定装置４から暗号化されている永続利用パラメータを入力する入力端子２１とを備えている。
【００２０】
信号処理部１１は、レジスタ１３に格納されているパラメータに基づいて入力された映像信号に対してガンマ補正、色変換などの映像信号処理を行う。選択部１４は、切換スイッチ７からの信号により試用パラメータまたは永続利用パラメータのいずれをレジスタ１３に出力するかを選択する。第１の復号部１８は、暗号化されている永続利用パラメータを復号する。不揮発性メモリ１９は、一度書き込みを行うと変更することができないメモリであり、パラメータ選択設定装置４から入力された暗号化されている永続利用パラメータを記憶する。
【００２１】
切換スイッチ７は、信号処理装置２の使用状態を“試用”、または“永続利用”に切り換えるスイッチであり、レジスタ１３に記憶するパラメータを切り換える切換信号を選択部１４へ出力する。すなわち、切換スイッチ７が“試用”である場合、第１の外部Ｉ／Ｆ１６から入力された試用パラメータがレジスタ１３に記憶され、切換スイッチ７が”永続利用”である場合、第１の復号部１８により復号された永続利用パラメータがレジスタ１３に記憶される。
【００２２】
パラメータ選択設定装置４は、信号処理装置２に試用パラメータを出力するための出力端子３０と、信号処理装置２に暗号化されている永続利用パラメータを出力するための出力端子３１と、設定部３２と、制御部３３と、内部バス３４と、ユーザＩ／Ｆ部３５と、通信部３６と、記憶媒体３７と、ネットワーク５を介してパラメータサーバ装置６と送受信を行なうための通信端子３８とを備えている。
【００２３】
設定部３２は、パラメータサーバ装置６より受信した試用パラメータまたは暗号化されている永続利用パラメータを制御部３３の指示に基づいて信号処理装置２へ出力する。制御部３３は、ユーザＩ／Ｆ部３５からの操作に応じてパラメータサーバ装置６に対する試用パラメータの要求、永続利用パラメータの要求等を行う。通信部３６は、ネットワーク５を介してパラメータサーバ装置６と情報の送受信を行う。
【００２４】
パラメータサーバ装置６は、ネットワーク５を介してパラメータ選択設定装置４と送受信を行なうための通信端子５０と、通信部５１と、演算部５２とを備えている。
【００２５】
通信部５１は、ネットワーク５を介してパラメータ選択設定装置４と情報の送受信を行う。演算部５２は、要求に応じて試用パラメータを生成する。また、演算部５２は、要求された永続利用パラメータを信号処理装置２の第１の復号部１８で復号できるように暗号化する。
【００２６】
次に、上記のように構成されたパラメータ調整システムの動作について詳細に説明する。図３は、このパラメータ調整システムの動作を示すシーケンス図である。
【００２７】
パラメータ選択設定装置４の制御部３３は、メーカによってユーザＩ／Ｆ部３５から試用パラメータ要求の操作が行われると、通信部３６およびネットワーク５を介して、パラメータサーバ装置６に試用パラメータを要求する（ステップＳ１０１）。パラメータサーバ装置６の通信部５１は、試用パラメータの要求を演算部５２に通知する。演算部５２は、試用パラメータのダウンロード要求に応じて、単数または複数の試用パラメータを生成する（ステップＳ１０２）。
【００２８】
通信部５１は、生成された単数または複数の試用パラメータをネットワーク５を介してパラメータ選択設定装置４に送信する（ステップＳ１０３）。パラメータ選択設定装置４の制御部３３は、通信部３６が受信した試用パラメータを記憶媒体３７に蓄積する。制御部３３は、あらかじめ設定された条件に基づいて決定した、あるいはメーカがユーザＩ／Ｆ部３５を介して選択した試用パラメータの一つを記憶媒体３７から読み出して設定部３２に出力する（ステップＳ１０４）。
【００２９】
設定部３２は、入力された試用パラメータを出力端子３０と入力端子１７を介して信号処理装置２の第１の外部Ｉ／Ｆ１６に出力する（ステップＳ１０５）。なお、このときメーカは切換スイッチ７を”試用”にしておく。これにより、切換スイッチ７から切換信号端子１５に入力される切換信号が”試用”であるので、選択部１４は第１の外部Ｉ／Ｆ１６から入力された試用パラメータをレジスタ１３に記憶するパラメータとして選択する。
【００３０】
信号処理部１１は、信号生成装置１から入力端子１０を介して入力された映像信号に対して、レジスタ１３に記憶されているパラメータを使用して信号処理を行う。すなわち、信号処理部１１は、切換スイッチ７が”試用”の状態ではパラメータとして試用パラメータを使用して信号処理を行うことになる。信号処理部１１で処理された信号は、出力端子１２を介して出力デバイス３に出力される。
【００３１】
メーカは、信号処理装置２が試用パラメータを用いて信号処理して出力デバイス３へ出力した結果、例えば画質や音質などを確認する（ステップＳ１０６）。この確認の結果、試用パラメータによる信号処理の結果がメーカの要求を満たしたものでない場合には、メーカは別の試用パラメータを設定する。このとき、パラメータ選択設定装置４が記憶媒体３７に複数の試用パラメータを受信していた場合には、メーカはその中から別の試用パラメータをユーザＩ／Ｆ部３５で選択する（ステップＳ１０７→ステップＳ１０４）。
【００３２】
その後、上記と同様にユーザＩ／Ｆ部３５から新しく選択された試用パラメータが信号処理装置２に設定される。そして、メーカは、信号処理装置２が新たな試用パラメータを用いて信号処理して出力デバイス３へ出力した結果を確認する。また、パラメータ選択設定装置４が記憶媒体３７に受信した試用パラメータが全て適さなかった場合には、パラメータ選択設定装置４は、メーカの操作によって再びパラメータサーバ装置６に別の試用パラメータを上記と同様にして要求する（ステップＳ１０７→ステップＳ１０１）。
【００３３】
一方、上記確認の結果、メーカはある試用パラメータによる信号処理の結果が要求を満たしていることが確認できた場合、その試用パラメータを永続利用パラメータとして信号処理装置２に設定する。そのために、まず、メーカは切換スイッチ７を”永続利用”に変更して選択部１４が第１の復号部１８からの入力を選択するように切り換える。次に、パラメータ選択設定装置４の制御部３３は、メーカによってユーザＩ／Ｆ部３５から要求を満たした試用パラメータに対応する永続利用パラメータ要求の操作が行われると、通信部３６およびネットワーク５を介して、パラメータサーバ装置６に永続利用パラメータを要求する（ステップＳ１０８）。ここで、複数の試用パラメータが記憶媒体３７に蓄積されていた場合は、制御部３３は、永続利用パラメータがどの試用パラメータであるかを示す情報もパラメータサーバ装置６に送信する。
【００３４】
永続利用パラメータの要求を受けたパラメータサーバ装置６の通信部５１は、この要求を演算部５２に通知する。演算部５２は、要求された永続利用パラメータを第１の復号部１８で復号できるように暗号化する（ステップＳ１０９）。通信部５１は、この暗号化された永続利用パラメータをネットワーク５を介してパラメータ選択設定装置４に送信する（ステップＳ１１０）。
【００３５】
パラメータ選択設定装置４の制御部３３は、通信部３６が受信した暗号化された永続利用パラメータを内部バス３４を介して設定部３２に入力する。設定部３２は、この永続利用パラメータを出力端子３１を介して信号処理装置２の入力端子２１へ出力する（ステップＳ１１１）。入力端子２１より入力された永続利用パラメータは、第２の外部Ｉ／Ｆ２０に入力され、不揮発性メモリ１９に記憶される。第１の復号部１８は、不揮発性メモリ１９に記憶された暗号化された永続利用パラメータを復号する。ここで、切換スイッチ７は”永続利用”に変更されているので、選択部１４は、第１の復号部１８から入力された永続利用パラメータをレジスタ１３に記憶するパラメータとして選択する。これにより、レジスタ１３には復号された永続利用パラメータが書き込まれる。
【００３６】
信号処理部１１は、レジスタ１３に格納されている復号された永続利用パラメータを用いて、信号生成装置１から入力端子１０を介して入力された映像信号に対して信号処理を行う。信号処理部１１で処理された信号は出力端子１２を介して出力デバイス３に出力される。
【００３７】
以上のように、メーカは永続利用パラメータを決定するまでは切換スイッチ７を”試用”の状態にしておき、第１の外部Ｉ／Ｆ１６から入力された試用パラメータをレジスタ１３に設定して、サービス提供者から制限をされない限りは何度でもパラメータを変えて出力デバイス３での結果を確認することができる。要求を満たす試用パラメータが得られた場合は、不揮発性メモリ１９に静的な永続利用パラメータを記憶し、切換スイッチ７を”永続利用”の状態にして第１の復号部１８で復号された永続利用パラメータをレジスタ１３に設定して信号処理部１１で信号処理を行う。
【００３８】
静的な永続利用パラメータを不揮発性メモリ１９に記憶した後はパラメータ選択設定装置４によりパラメータを取得する必要はなく、信号処理装置２単独で必要な処理を行うことができる。例えば試用パラメータを不揮発性メモリ１９に記憶させても、信号処理部１１で信号処理を行うことはできず、試用パラメータを流用されることがない。
【００３９】
なお、信号処理装置２の永続利用パラメータの設定に関しては様々な利用形態が考えられる。一つの利用形態としては、メーカが同一ロットの出力デバイス３はほぼ同一の特性を持つものと仮定し、これらに対して同一の永続利用パラメータを適用することができる。この場合、メーカが出力デバイス３のロット数に見合う数の信号処理装置２をサービス提供者から入手するが、これらの信号処理装置２においては第１の復号部１８における復号方法は同一でよい。
【００４０】
そして、代表的な出力デバイス３について試用パラメータを検討して永続利用パラメータを決定し、同一復号方法の信号処理装置２と同一ロットの出力デバイス３との組み合わせに対して、この永続利用パラメータを使用する。また、ロットごとに第１の復号部１８における復号方法、例えば復号鍵を変更することで、他のメーカに出荷した信号処理装置２に対して同じ永続利用パラメータを流用されることを防ぐことが出来る。
【００４１】
また、別の利用形態としては、個々の出力デバイス３に対して個別に永続利用パラメータを決定して使用することができる。この場合、上記のように出荷先メーカ、あるいはロット単位などで第１の復号部１８における復号方法を同一にしても構わない。さらに、信号処理装置２において第１の復号部１８における復号鍵を信号処理装置２の個体についてそれぞれ互いに異なるものとすることで、同じ永続利用パラメータが何回使用されたかをサービス提供者が実態把握できるようにすることも可能である。ただし、この場合には第１の復号部１８における復号方法とパラメータサーバ装置６における暗号化方法との整合性を取る必要がある。このような場合に適した実施例を実施の形態２として以下に述べる。
【００４２】
（実施の形態２）
図４は、本発明の実施の形態２に係るパラメータ調整システムの構成を示すブロック図である。このパラメータ調整システムは、上記実施の形態１の構成に加えて信号処理装置２は鍵情報発生部２２と、第３の外部Ｉ／Ｆ２３と、パラメータ選択設定装置４への出力端子２４とを備え、パラメータ選択設定装置４は信号処理装置２からの入力端子３９を備えており、その他は上記実施の形態１と同様である。なお、上記実施の形態１と同様の部分については同じ符号を付し、詳細な説明を省略する。
【００４３】
鍵情報発生部２２は、当該信号処理装置２にあらかじめ設定されている鍵情報を第１の復号部１８および第３の外部Ｉ／Ｆ２３に出力する。
次に、上記のように構成されたパラメータ調整システムの動作について詳細に説明する。図５は、このパラメータ調整システムの動作を示すシーケンス図である。
【００４４】
信号処理装置２に通電されると、鍵情報発生部２２は、当該信号処理装置２にあらかじめ設定されている鍵情報を第１の復号部１８および第３の外部Ｉ／Ｆ２３に出力する。第３の外部Ｉ／Ｆ２３から出力された鍵情報は、出力端子２４と入力端子３９を介してパラメータ選択設定装置４の設定部３２に入力される（ステップＳ２０１）。
【００４５】
次に、パラメータ選択設定装置４が試用パラメータの要求を行う動作以降、信号処理装置２が試用パラメータを用いて信号処理を行って出力デバイス３へ出力した結果を確認する動作までを上記実施の形態１と同様に行う（ステップＳ１０１〜ステップＳ１０６）。また、この確認の結果、試用パラメータによる信号処理の結果がメーカの要求を満たしたものでない場合の動作についても、上記実施の形態１と同様に動作が行われる（ステップＳ１０７→ステップＳ１０４またはステップＳ１０１）。
【００４６】
一方、上記確認の結果、試用パラメータによる信号処理の結果がメーカの要求を満たしたものである場合、メーカは、パラメータ選択設定装置４のユーザＩ／Ｆ部３５より要求を満たした試用パラメータに対応する永続利用パラメータ要求の操作を行う。この操作によりパラメータ選択設定装置４の制御部３３は、永続利用パラメータを決定する情報および設定部３２に入力された鍵情報を、通信部３６およびネットワーク５を介してパラメータサーバ装置６へ送信し、永続利用パラメータを要求する（ステップＳ２０２）。
【００４７】
永続利用パラメータの要求を受けたパラメータサーバ装置６の通信部５１は、この要求を演算部５２に通知する。演算部５２は、要求された永続利用パラメータをパラメータ選択設定装置４より送信された鍵情報を用いて暗号化する（ステップＳ１０９）。通信部５１は、この暗号化された永続利用パラメータをネットワーク５を介してパラメータ選択設定装置４に送信する（ステップＳ１１０）。
【００４８】
パラメータ選択設定装置４の制御部３３は、通信部３６が受信した暗号化された永続利用パラメータを内部バス３４を介して設定部３２に入力する。設定部３２は、この永続利用パラメータを出力端子３１を介して信号処理装置２の入力端子２１へ出力する（ステップＳ１１１）。入力端子２１より入力された永続利用パラメータは、第２の外部Ｉ／Ｆ２０に入力され、不揮発性メモリ１９に記憶される。第１の復号部１８は、不揮発性メモリ１９に記憶された暗号化された永続利用パラメータを鍵情報発生部２２で発生された鍵情報を用いて復号する。この復号された永続利用パラメータは、上記実施の形態１と同様にしてレジスタ１３に書き込まれる。
【００４９】
信号処理部１１は、レジスタ１３格納されている復号された永続利用パラメータを用いて、信号生成装置１から入力端子１０を介して入力された映像信号に対して信号処理を行う。信号処理部１１で処理された信号は出力端子１２を介して出力デバイス３に出力される。
【００５０】
以上のように、信号処理装置２において鍵情報発生部２２から鍵情報を出力しているので、信号処理装置２ごとに異なる鍵を持たせてもパラメータサーバ装置６での暗号化と、第１の復号部１８での復号との整合性を取ることができ、個別に永続利用パラメータを設定するのに都合がよい。
【００５１】
なお、鍵情報発生部２２は、パラメータ選択設定装置４および第１の復号部１８に対してそれぞれ鍵情報を出力しているが、この２つの鍵情報は必ずしも同一とは限らない。例えば、鍵情報発生部２２は、第１の復号部１８に対しては秘密鍵を鍵情報として、パラメータ選択設定装置４に対しては秘密鍵に対応する公開鍵を鍵情報として出力しても構わない。この場合、パラメータサーバ装置６の演算部５２は、公開鍵を用いて永続利用パラメータを暗号化し、第１の復号部１８は、秘密鍵を用いて不揮発性メモリ１９に記憶された永続利用パラメータを復号する。
【００５２】
次に、信号処理装置２を識別する例えばＩＤ番号等の鍵参照情報を使用して暗号鍵を管理し、鍵情報発生部２２がパラメータ選択設定装置４に対して鍵参照情報を出力する場合について説明する。図６は、このパラメータ調整システムのパラメータサーバ装置６の構成を示すブロック図である。
【００５３】
図６に示すようにパラメータサーバ装置６は、上記の構成に加えて鍵情報データベース５３を備えている。鍵情報データベース５３には、サービス提供者により信号処理装置２が出荷される前に信号処理装置２の鍵参照情報と対応する暗号鍵が対にして記憶されている。
【００５４】
鍵情報発生部２２は、パラメータ選択設定装置４に対して鍵参照情報を、第１の復号部１８に対して鍵参照情報に対応する暗号鍵の復号鍵を出力する。鍵参照情報は、パラメータ選択設定装置４が永続利用パラメータを要求する際に同時にパラメータサーバ装置６に送信される。パラメータサーバ装置６では、永続利用パラメータの要求の際に信号処理装置２の鍵参照情報を受信すると、演算部５２がこの鍵参照情報により鍵情報データベース５３を検索し、対応する暗号鍵を取得する。演算部５２は、取得した暗号鍵を用いて要求された永続利用パラメータを暗号化する。
【００５５】
暗号化された永続利用パラメータは、上記同様にパラメータ選択設定装置４に送信され、信号処理装置２の不揮発性メモリ１９に記憶される。信号処理装置２の第１の復号部１８は、鍵情報発生部２２から出力された復号鍵を用いて永続利用パラメータを復号する。この復号された永続利用パラメータは、上記実施の形態１と同様にしてレジスタ１３に書き込まれ、永続利用パラメータでの信号処理が行われる。
【００５６】
以上のように、パラメータサーバ装置６において鍵参照情報を使用して暗号鍵を管理し、信号処理装置２において鍵情報発生部２２から鍵参照情報を出力しているので、鍵情報が直接パラメータ選択設定装置４からネットワーク５を介してパラメータサーバ装置６へ送信されることがない。よって、信号処理装置２ごとに異なる鍵を持たせても、鍵情報が流出することなく、パラメータサーバ装置６での暗号化と、第１の復号部１８での復号との整合性を取ることができる。
【００５７】
（実施の形態３）
本実施の形態では、上記実施の形態１が永続利用パラメータのみを暗号化していたのに対して、試用パラメータについても暗号化を行う場合について説明する。
【００５８】
図７は、本発明の実施の形態３に係るパラメータ調整システムの構成を示すブロック図である。このパラメータ調整システムは、上記実施の形態１の構成に加えて信号処理装置２は第２の復号部２５を備えており、その他は上記実施の形態１と同様である。なお、上記実施の形態１と同様の部分については同じ符号を付し、詳細な説明を省略する。
【００５９】
パラメータサーバ装置６の演算部５２は、パラメータ選択設定装置４からの試用パラメータの要求により試用パラメータを作成するとともに、この試用パラメータの暗号化を行う。信号処理装置２の第２の復号部２５は、暗号化されている試用パラメータを復号する。
【００６０】
次に、上記のように構成されたパラメータ調整システムの動作について説明する。図８は、このパラメータ調整システムの動作を示すシーケンス図である。
上記実施の形態１と同様にパラメータ選択設定装置４から試用パラメータの要求が行われ（ステップＳ１０１）、パラメータサーバ装置６の演算部５２は、試用パラメータを生成する（ステップＳ１０２）。次に、演算部５２は、生成した試用パラメータの暗号化を行う（ステップＳ３０１）。通信部５１は、暗号化された試用パラメータをネットワーク５を介してパラメータ選択設定装置４に送信する（ステップＳ１０３）。
【００６１】
試用パラメータを受信したパラメータ選択設定装置４では、上記実施の形態１と同様の処理が行われて、試用パラメータが信号処理装置２の第１の外部Ｉ／Ｆ１６に出力される（ステップＳ１０４〜ステップＳ１０５）。第１の外部Ｉ／Ｆ１６に入力された試用パラメータは、第２の復号部２５に入力される。第２の復号部２５は、入力された暗号化された試用パラメータを復号する。ここで、切換スイッチ７は”試用”であるので、選択部１４は、第２の復号部２５から入力された試用パラメータをレジスタ１３に記憶するパラメータとして選択する。これにより、レジスタ１３には復号された試用パラメータが書き込まれる。
【００６２】
信号処理部１１は、レジスタ１３格納されている復号された試用パラメータを用いて、信号生成装置１から入力端子１０を介して入力された映像信号に対して信号処理を行う。信号処理部１１で処理された信号は出力端子１２を介して出力デバイス３に出力される。
【００６３】
次に行う出力デバイス３へ出力された結果の確認動作以降については、上記実施の形態１と同様に動作が行われる（ステップＳ１０６〜ステップＳ１１１）。
以上のように、試用パラメータについても暗号化を行っているので、第１の外部Ｉ／Ｆ１６に入力される試用パラメータを傍受して、試用パラメータの特徴を解析したり、試用パラメータを流用したりするのを困難にすることができる。また、試用パラメータの解析が困難になるので、同等の処理を行う装置を模倣するのを難しくすることができる。さらに、他のメーカに販売した異なる復号鍵を持つ信号処理装置に対して試用パラメータを流用することも避けることができる。
【００６４】
なお、パラメータサーバ装置６の演算部５２は、試用パラメータと永続利用パラメータとで異なる暗号化を行い、信号処理装置２の第１の復号部１８と第２の復号部２５とでは、それぞれ異なる復号処理を行うことが好ましい。この場合、試用パラメータと永続利用パラメータとで同じ暗号化を行った場合のように、何らかの方法で暗号化された試用パラメータが読み取られ、その試用パラメータを不揮発性メモリに記憶させることにより永続利用パラメータとして使用されることもない。
【００６５】
次に、このように試用パラメータと永続利用パラメータとで異なる暗号化を行う場合の変形例について説明する。図９は、第１の復号部１８と第２の復号部２５との一部を共有した信号処理装置２の一例を示すブロック図である。この信号処理装置２は、上記の図７に示す第１の復号部１８および第２の復号部２５が、第１の鍵発生部２６、復号演算回路３７、第２の鍵発生部２８の３つより構成されている。
【００６６】
第１の鍵発生部２６は、永続利用パラメータを復号するための復号鍵を発生する。第２の鍵発生部２８は、試用パラメータを復号するための復号鍵を発生する。復号演算回路２７は、永続利用パラメータを第１の鍵発生部２６が発生した復号鍵により復号し、試用パラメータを第２の鍵発生部２８が発生した復号鍵により復号する。
【００６７】
入力端子１７を介して第１の外部Ｉ／Ｆ１６に入力された、暗号化された試用パラメータは第２の鍵発生部２８から出力された復号鍵により復号演算回路２７で復号され、選択部１４に入力される。入力端子２１を介して第２の外部Ｉ／Ｆ２０に入力された、暗号化された永続利用パラメータは第１の鍵発生部２６から発信された復号鍵により復号演算回路２７で復号され、選択部１４に入力される。すなわち、第２の鍵発生部２８と復号演算回路２７をあわせると図５の第２の復号部２５に相当し、第１の鍵発生部２６と復号演算回路２７をあわせると図５の第１の復号部に相当する。このように第１の復号部１８と第２の復号部２５とで共通する復号演算を復号演算回路２７で共有することによって信号処理装置２を簡略化することができる。
【００６８】
（実施の形態４）
本実施の形態では、試用パラメータの使用について時間による利用制限を設けた場合について、最初に説明する。
【００６９】
図１０は、本発明の実施の形態４に係る時間による利用制限を設けた信号処理装置の構成を示すブロック図である。この信号処理装置２は、上記実施の形態１の構成に加えて、制限時間記憶部７０と、比較部７１と、スイッチ７２と、カウンタ７３とを備えており、その他は上記実施の形態１と同様である。また、図１１は、カウンタ７３の構成を示すブロック図である。なお、上記実施の形態１と同様の部分については同じ符号を付し、詳細な説明を省略する。
【００７０】
制限時間記憶部７０は、試用パラメータを使用することができる所定の制限時間を記憶している。比較部７１は、制限時間記憶部７０が記憶している値とカウンタ７３が計数した値を比較して、この比較結果に基づいてスイッチ７２を動作させる。スイッチ７２は、第１の外部Ｉ／Ｆ１６に入力された試行用パラメータを選択部１４へ出力するか否かを切り換える。
【００７１】
カウンタ７３は、図１１に示すように計数すべき信号を入力する入力端子９０と、計数開始を指示する信号を入力する入力端子９１と、分周器９２と、不揮発性メモリ９３と、不揮発性メモリ９４と、加算器９５と、不揮発性メモリ９４の値を出力する出力端子９６と、ＡＮＤゲート９７とを備えている。
【００７２】
不揮発性メモリ９３は、出荷時には“０”を記憶している。入力端子９１に信号が入力されると、不揮発性メモリ９３に“１”が書き込まれ、ＡＮＤゲート９７へ出力される。この状態で初めてカウンタ７３は計数を開始するようになる。これにより、入力端子９０から入力された信号を分周器９２で分周した信号により、不揮発性メモリ９４に“１”が書き込まれるとともに、この値が加算器９５および出力端子９６に出力される。
【００７３】
加算器９５は、入力された値に“１”  加算する。この加算された値は、ＡＮＤゲート９７より出力される信号、すなわち分周器９２で分周された信号によって、不揮発性メモリ９４に書き込まれるとともに、加算器９５および出力端子９６に出力される。このように、カウンタ７３は、入力端子９０から入力された信号を分周器９２で分周した信号を計数し、この計数値を不揮発性メモリ９４に記憶する。ここで、不揮発性メモリ９４に計数値を記憶するのは電源を切った状態でも計数値がクリアされないようにするためである。ただし、最大値を越えて値を記憶しようとしたとき再びゼロになってしまわないために、一定の値に達したらそれ以上は増加させないこととする。
【００７４】
図１０に示す本実施の形態では、カウンタ７３の入力端子９０に、信号処理装置２を動作させているクロックを入力することによって、時間の計数を行っている。また、第１の外部Ｉ／Ｆ１６がパラメータを受け取るとカウンタ７３の入力端子９１に信号を出力している。これにより、カウンタ７３は、信号処理装置２に初めて試用パラメータが入力されてから時間の計数を行うことになる。
【００７５】
比較部７１は、制限時間記憶部７０が記憶している制限時間と、カウンタ７３が計数した時間とを比較する。この比較の結果、カウンタ７３の値が制限時間記憶部７０の値に達していなければ、比較部７１はスイッチ７２をＯＮのままとし、第１の外部Ｉ／Ｆ１６に入力された試行用パラメータを選択部１４へ出力する。一方、カウンタ７３の値が制限時間記憶部７０の値に達している場合には、比較部７１はスイッチ７２をＯＦＦとし、試行用パラメータを選択部１４へ出力しない。以上のように、信号処理装置２への通電時間が制限時間を超えた場合は試用パラメータの使用ができなくなり、試用パラメータの使用を制限することができる。
【００７６】
なお、上記説明では、カウンタ７３は信号処理装置２に初めて試用パラメータが入力されてから時間の計数を行っているが、これに限られるものではない。例えば、カウンタ７３は信号処理装置２に通電されると時間の計数を開始するようにしてもよい。
【００７７】
次に、試用パラメータの使用回数による利用制限を設けた場合について説明する。
図１２は本発明の実施の形態４に係るパラメータの試用回数による利用制限を設けた信号処理装置２の構成を示すブロック図である。図１０に示す制限時間記憶部７０に代えて、制限回数記憶部７４を備えている。制限回数記憶部７４は、試用パラメータを使用することができる所定の制限回数を記憶している。また、第１の外部Ｉ／Ｆ１６はパラメータを受信するごとにカウンタ７３の入力端子９０に信号を送る。
【００７８】
比較部７１は、制限回数記憶部７４が記憶している制限回数と、カウンタ７３が計数した回数とを比較する。この比較の結果、カウンタ７３の値が制限回数記憶部７４の値に達していなければ、比較部７１はスイッチ７２をＯＮのままとし、第１の外部Ｉ／Ｆ１６に入力された試行用パラメータを選択部１４へ出力する。一方、カウンタ７３の値が制限回数記憶部７４の値に達している場合には、比較部７１はスイッチ７２をＯＦＦとし、試行用パラメータを選択部１４へ出力しない。以上のように、信号処理装置２へ試行用パラメータが入力された回数が制限回数を超えた場合は試用パラメータの使用ができなくなり、試用パラメータの使用を制限することができる。
【００７９】
なお、一定の条件を満たした場合にカウンタ７３の記憶している値をリセット、または制限時間や制限回数よりも小さい値を再設定することで試用時間や試用回数の再提供を行うことも可能である。
【００８０】
（実施の形態５）
本実施の形態では、出力デバイス３の特性測定結果に基づいてパラメータサーバ装置６が試用パラメータを生成する場合について説明する。
【００８１】
図１３は、本発明の実施の形態５に係るパラメータ調整システムの構成を示すブロック図である。このパラメータ調整システムは、上記実施の形態１の構成に加えてパラメータ選択設定装置４との入出力端子８０を有する測定部７を備えている。また、上記実施の形態１の構成に加えてパラメータ選択設定装置４は、信号生成装置１への出力端子４０および測定部７との入出力端子３９を備え、信号生成装置１はパラメータ選択設定装置４からの入力端子６０を備えており、その他は上記実施の形態１と同様である。なお、上記実施の形態１と同様の部分については同じ符号を付し、詳細な説明を省略する。また、図１３では切換スイッチ７および切換信号端子１５を省略している。
【００８２】
測定部７は、信号処理装置２により信号処理された信号が出力デバイス３へ出力された結果を測定し、測定結果をパラメータ選択設定装置４へ出力する。
パラメータ選択設定装置４は、信号生成装置１に出力デバイス３の特性を測定するためのサンプルとなる信号を生成させるための制御を行う。
【００８３】
次に、上記のように構成されたパラメータ調整システムの動作について説明する。図１４は、このパラメータ調整システムの動作を示すシーケンス図である。
上記実施の形態１と同様にパラメータ選択設定装置４から試用パラメータを要求が行われ（ステップＳ４０１）、パラメータサーバ装置６は、試用パラメータを生成し（ステップＳ４０２）、生成した試用パラメータをネットワーク５を介してパラメータ選択設定装置４に送信する（ステップＳ４０３）。パラメータ選択設定装置４の制御部３３は、通信部３６が受信した試用パラメータを記憶媒体３７に蓄積するとともに、設定部３２に出力する。設定部３２は、入力された試用パラメータを出力端子３０を介して信号処理装置２の入力端子１７に出力する（ステップＳ４０４）。これにより、上記実施の形態１と同様に信号生成装置２に試用パラメータが初期値として設定される。なお、パラメータ選択設定装置４は、このようにパラメータサーバ装置６から受信した試用パラメータを初期値として設定してもよいし、あらかじめ設定された所定の値を初期値として設定してもよい。
【００８４】
次に、パラメータ選択設定装置４は、出力端子４０と入力端子６０を介して信号生成装置１に対して出力デバイス３の特性を測定するためのサンプルとなる信号を生成するように指示を行う。ここで、信号生成装置１が例えばＤＶＤドライブであるとすると、サンプルとなる画面データとして、例えば全画面が黒、白、赤、緑、青それぞれ一色となるデータを各トラックに収録したディスクをあらかじめセットしておく。信号生成装置１は、パラメータ選択設定装置４から出力端子４０と入力端子６０とを介して入力される制御信号により、必要なトラックを再生することでサンプルとなる信号を生成する。
【００８５】
信号処理部１１は、試用パラメータを用いて、信号生成装置１から入力端子１０を介して入力されたサンプルとなる信号に対して信号処理を行う。信号処理部１１で処理された信号は出力端子１２を介して出力デバイス３に出力される。
【００８６】
測定部７は、信号処理装置２により信号処理された信号が出力デバイス３へ出力された結果を測定する（ステップＳ４０５）。例えば、信号生成装置１が上記のようにＤＶＤドライブであり、出力デバイス３が液晶ディスプレイパネルであった場合、測定部７として色彩色度計を用い、ＤＶＤドライブから再生される画像データの輝度及び色度を測定することによって液晶ディスプレイパネルの表示特性を測定する。このとき、パラメータ設定選択装置４は、信号生成装置１であるＤＶＤドライブが再生するトラックを制御して、出力する画像データを選択するとともに、選択された画像データが表示されるタイミングと同期して測定部７である色彩色度計を制御して測定を行う。
【００８７】
測定部７は、上記のように測定した測定結果を入出力端子８０および入出力端子３０を介してパラメータ選択設定装置４に出力する。パラメータ選択設定装置４は、測定部７による測定結果をネットワーク５を介してパラメータサーバ装置６に送信する（ステップＳ４０６）。なお、測定部７による測定結果をパラメータサーバ装置６に送信するとき、パラメータ選択設定装置４を介する必要はなく、測定部７から直接、あるいは別な手段で送信してもよい。
【００８８】
パラメータサーバ装置６は、受信した測定部７による測定結果に基づいて出力デバイス３の表示特性に応じた試用パラメータを生成し（ステップＳ４０７）、生成した試用パラメータをネットワーク５を介してパラメータ選択設定装置４に送信する（ステップＳ４０８）。パラメータ選択設定装置４は、受信した試用パラメータを上記と同様にして信号生成装置２に設定する（ステップＳ４０９）。
【００８９】
メーカは、信号処理装置２が試用パラメータを用いて信号処理して出力デバイス３へ出力した結果、例えば画質や音質などを確認する（ステップＳ４１０）。この確認の結果、試用パラメータによる信号処理の結果がメーカの要求を満たしている場合には、上記実施の形態１と同様にしてパラメータ選択設定装置４は、ネットワーク５を介してパラメータサーバ装置６に永続利用パラメータを要求する（ステップＳ４１１）。そして、パラメータサーバ装置６より送信された暗号化された永続利用パラメータを、パラメータ選択設定装置４は信号処理装置２に設定される（ステップＳ４１２〜ステップＳ４１４）。
【００９０】
一方、上記確認の結果、試用パラメータによる信号処理の結果がメーカの要求を満たしたものでない場合には、さらに測定部７は信号処理装置２により信号処理された信号が出力デバイス３へ出力された結果を測定する（ステップＳ４１０→ステップＳ４０５）。そして、パラメータ選択設定装置４は、測定部７による測定結果をネットワーク５を介してパラメータサーバ装置６に送信する（ステップＳ４０６）。パラメータサーバ装置６は、受信した測定部７による測定結果および直前の信号処理に対する出力デバイスの特性の変化に基づいて試用パラメータを再度生成する（ステップＳ４０７）。以下、上記と同様に試用パラメータの設定と測定部７による測定の処理を、メーカの要求を満たすまで繰り返す（ステップＳ４０５〜ステップＳ４１０）。これにより、最終的にはメーカの要求を満たす永続利用パラメータを信号処理装置２は得ることができる。
【００９１】
以上のように、パラメータサーバ装置６が試用パラメータを生成する際に、測定部７による測定結果を反映させているので、メーカの要求を満たす試用パラメータを迅速かつ確実に生成することができる。
【００９２】
なお、本実施の形態では、最初に測定部７により出力デバイス３の特性を測定する際に、信号処理装置２により信号処理された信号が出力デバイス３へ出力された結果を測定しているが、これに限られるものではない。例えば、信号処理装置２による信号処理を行わず、信号生成装置１から入力されたサンプルとなる信号をそのまま出力デバイス３へ出力し、この出力された結果を測定しても構わない。
【００９３】
また、上記各実施の形態において、パラメータサーバ装置６の演算部５２が永続利用パラメータまたは試用パラメータを暗号化する際、永続利用パラメータまたは試用パラメータのすべてについて暗号化するのではなく、一部のパラメータだけを暗号化しても構わない。例えば、パラメータサーバ装置６の演算部５２は、ＲＧＢ信号の各信号に対応するパラメータの中のＧ信号に対応するパラメータだけを暗号化してもよい。
【００９４】
また、上記各実施の形態において、信号処理装置２の信号処理部１１は、暗号化していない試用パラメータを用いて、入力端子１０から入力された映像信号に対して信号処理を行う場合に、図１５（ｂ）  に示すように出力デバイス３の全表示領域Ａに表示するように出力を行わずに、例えば図１５（ａ）  に示すように表示領域の一部領域Ｂにだけ表示するように出力を行っても構わない。さらに、信号処理部１１は、暗号化していない試用パラメータを用いて、入力端子１０から入力された映像信号に対して信号処理を行う場合に、信号処理の処理速度を遅くしても構わない。これらの場合、例えば切換スイッチ７が出力する切換信号を信号処理部１１へ入力し、信号処理部１１はこの切換信号に基づいて動作を切り換えればよい。
【００９５】
また、上記各実施の形態では、信号処理装置２は、第１の外部Ｉ／Ｆ１６と試用パラメータを入力する入力端子１７、第２の外部Ｉ／Ｆ２０と永続利用パラメータを入力する入力端子２１を備えた構成としているが、これに限られるものではない。例えば、物理的には第１の外部Ｉ／Ｆ１６および第２の外部Ｉ／Ｆ２０を１つの外部Ｉ／Ｆとし、入力端子１７および入力端子２１を１つの入力端子として構成し、論理的に区別しても構わない。
【００９６】
また、上記各実施の形態では、信号生成装置１としてＤＶＤドライブ、信号処理装置２として映像信号処理ＬＳＩ、出力デバイス３として液晶ディスプレイパネル、測定部７として色彩色度計を用いた例について説明したが、それぞれこの例に限られるものではなく、他の映像信号を取り扱う装置、さらには音声信号などを取り扱う装置であってもよい。例えば信号生成装置１として音声合成ＬＳＩ、信号処理装置２として音声信号処理ＬＳＩ、出力デバイス３としてスピーカ、測定部７としてマイク及びスペクトルアナライザを用いても構わない。
【００９７】
【発明の効果】
以上の説明から明らかなように、本発明に係る信号処理装置によれば、映像信号を信号処理する際に暗号化された第１のパラメータを復号して用いるので、パラメータが解析や流用されて不正に使用されるのを抑制することができる。
【００９８】
また、メーカは信号処理装置の試用時には第２のパラメータを設定して、出力デバイスの出力結果を自ら確認した上で、永続利用する第１のパラメータを決定することができる。
【００９９】
また、サービス提供者はパラメータ調整時の手法やアルゴリズムをメーカに公開することなく信号処理装置で用いるパラメータの提供をすることが可能で、パラメータの解析や流用されて不正に使用されるのを困難にすることができる。
【０１００】
さらに、信号処理装置において第１のパラメータを復号するための復号鍵を信号処理装置の個体についてそれぞれ互いに異なるものとすることで、信号処理装置ごとのパラメータ設定の管理を行うことができる。
【図面の簡単な説明】
【図１】本発明の実施の形態１に係るパラメータ調整システムの構成を示すブロック図である。
【図２】本発明の実施の形態１に係るパラメータについて説明する図であり、（ａ）  ガンマ補正パラメータにより指定される処理特性を示す図、（ｂ）  ガンマ補正パラメータの一例を示す図である。
【図３】本発明の実施の形態１に係るパラメータ調整システムの動作を示すシーケンス図である。
【図４】本発明の実施の形態２に係るパラメータ調整システムの構成を示すブロック図である。
【図５】本発明の実施の形態２に係るパラメータ調整システムの動作を示すシーケンス図である。
【図６】本発明の実施の形態２に係るパラメータサーバ装置の構成を示すブロック図である。
【図７】本発明の実施の形態３に係るパラメータ調整システムの構成を示すブロック図である。
【図８】本発明の実施の形態３に係るパラメータ調整システムの動作を示すシーケンス図である。
【図９】本発明の実施の形態３に係る信号処理装置の構成の一例を示すブロック図である。
【図１０】本発明の実施の形態４に係る時間による利用制限を設けた信号処理装置の構成を示すブロック図である。
【図１１】本発明の実施の形態４に係るカウンタの構成を示すブロック図である。
【図１２】本発明の実施の形態４に係るパラメータの試用回数による利用制限を設けた信号処理装置２の構成を示すブロック図である。
【図１３】本発明の実施の形態５に係るパラメータ調整システムの構成を示すブロック図である。
【図１４】本発明の実施の形態５に係るパラメータ調整システムの動作を示すシーケンス図である。
【図１５】本発明の他の実施の形態に係る出力デバイスの表示領域の例を示す概略図であり、（ａ）  表示領域の一部領域にだけ表示する例を示す図、（ｂ）  全表示領域Ａに表示する例を示す図である。
【符号の説明】
１    信号生成装置
２    信号処理装置
３    出力デバイス
４    パラメータ選択設定装置
５    ネットワーク
６    パラメータサーバ装置
７    切換スイッチ
１０  入力端子
１１  信号処理部
１２  出力端子
１３  レジスタ
１４  選択部
１５  入力端子
１６  第１の外部Ｉ／Ｆ
１７  入力端子
１８  第１の復号部
１９  不揮発性メモリ
２０  第２の外部Ｉ／Ｆ
２１  入力端子
２２  鍵情報発生部
２３  第３の外部Ｉ／Ｆ
２４  出力端子
２５  第２の鍵発生部
２６  第１の鍵発生部
２７  復号演算回路
３０  出力端子
３１  出力端子
３２  設定部
３３  制御部
３４  内部バス
３５  ユーザＩ／Ｆ部
３６  通信部
３７  記憶媒体
３８  通信端子
３９  入力端子
４０  出力端子
５０  通信端子
５１  通信部
５２  演算部
５３  鍵情報データベース
６０  入力端子
７０  制限時間記憶部
７１  比較部
７２  スイッチ
７３  カウンタ
７４  制限回数記憶部
８０  入出力端子
９０  入力端子
９１  入力端子
９２  分周器
９３  不揮発性メモリ
９４  不揮発性メモリ
９５  加算器
９６  出力端子
【図１】
2004222079.tif 000003
【図２】
2004222079.tif 000004
【図３】
2004222079.tif 000005
【図４】
2004222079.tif 000006
【図５】
2004222079.tif 000007
【図６】
2004222079.tif 000008
【図７】
2004222079.tif 000009
【図８】
2004222079.tif 000010
【図９】
2004222079.tif 000011
【図１０】
2004222079.tif 000012
【図１１】
2004222079.tif 000013
【図１２】
2004222079.tif 000014
【図１３】
2004222079.tif 000015
【図１４】
2004222079.tif 000016
【図１５】
2004222079.tif 000017